(57)【要約】【課題】  簡易な構成で、地球儀上の距離及び方位を両方とも測定することができ、地球儀学習における理解を深めさせ、更に、収納保管が容易である地球儀用スケールを提供する。【解決手段】  透明で湾曲可能な部材から成るスケール本体１と、スケール本体の中央部に摺動回転可能に取り付けられた円板状の方位測定板２とを備え、スケール本体１には、目標線１１ａと、地球儀の縮尺に応じて距離を示す数値とが描かれた距離用目盛り１１が設けられ、方位測定板２には、方位測定板２の回転の中心となる固定部２１を中心とした放射状の方位線２２と方位表示が設けられ、固定部２１が目標線１１ａ上に設けられている地球儀用スケールであり、また、スケール本体１の両端部に、地球儀の軸に係止する保持部１３ａ，１３ｂを備えた地球儀用スケールとしている。【選択図】        図１
0003177402.tif 000002
【実用新案登録請求の範囲】
【請求項１】
地球儀と共に用いられる地球儀用スケールであって、
長尺状のスケール本体と、前記スケール本体に摺動回転可能に取り付けられた方位測定板とを備え、
前記スケール本体は、透明で湾曲可能な部材で形成され、長辺に平行に配置され目標となる地点を指定する直線である目標線と、前記目標線上の起点から前記地球儀の縮尺に応じた距離を示す数値とが設けられた距離用目盛りを備え、
前記方位測定板は、透明部材で形成され、前記回転の中心となる中心点からの方位を示す方位目盛りを備え、
前記中心点が、前記目標線上に位置することを特徴とする地球儀用スケール。
【請求項２】
スケール本体の長手方向の長さは、地球儀の円周の半分より大きく形成され、前記スケール本体の両端部に、前記地球儀の球体を保持する軸に係止する保持部が形成されていることを特徴とする請求項１記載の地球儀用スケール。
【請求項３】
スケール本体が、地球儀の縮尺で表示された特定の国のイラストが記載されたイラスト部を備えていることを特徴とする請求項１又は２記載の地球儀用スケール。
【請求項４】
距離用目盛りが、スケール本体の一端付近を起点として、前記スケール本体の他端に向かって数値が付されていることを特徴とする請求項１乃至３のいずれか記載の地球儀用スケール。
【請求項５】
距離用目盛りが、方位測定板の中心点を起点として、スケール本体の両端に向かって数値が付されていることを特徴とする請求項１乃至３のいずれか記載の地球儀用スケール。
【考案の詳細な説明】
【技術分野】
【０００１】
本考案は、地球儀用のスケールに係り、特に簡易な構成で地球儀上の距離及び方位を両方とも測定することができ、また、収納保管が容易である地球儀用スケールに関する。
【背景技術】
【０００２】
［先行技術の説明］
従来、地球儀上で、２地点間の距離を測定する器具や、ある地点から見た別の地点の方角を測る器具があった。
しかし、それらの器具は、距離や方角をそれぞれ測定するものであって、一つの器具で距離と方角を両方とも測定できるものではない。
また、従来の地球儀用スケールには、器具を使用しない場合の保管方法が考慮されたものはなかった。
【０００３】
［関連技術］
尚、地球儀や地球儀用スケールに関する技術としては、実用新案登録第３０７０５６７号公報「地球儀定規」（特許文献１）、実用新案登録第３０９２３７５号公報「地球儀用方位測定器」（特許文献２）、実用新案登録第３０１８４５７号公報「比較機能付地球儀」（特許文献３）、実用新案登録第３０５８６７９号公報「大圏目盛り付き地球儀」（特許文献４）、特開平０２−１４１７８９号公報「地球儀」（特許文献５）がある。
【０００４】
特許文献１には、地球儀の表面に沿って凹カーブさせた定規で、地球儀に接する凹部に距離を示す目盛り縁が形成された地球儀用定規が記載されている。
特許文献２には、地球儀上の２地点間相互の方位を測定可能とする地球儀用方位測定器が記載されている。
【０００５】
特許文献３には、地球儀の経線に沿って回転可能な輪を設け、当該輪に地球儀と同じ縮尺の地形を表す薄片をスライド可能に取り付け、離れた地形同士を比較し易くすることが記載されている。
特許文献４には、地球儀に子午線と方位角が記載された透明球殻を被せた地球儀が記載されている。
特許文献５には、角度目盛りが形成されたリング体を備えた地球儀が記載されている。
【先行技術文献】
【特許文献】
【０００６】
【特許文献１】実用新案登録第３０７０５６７号公報
【特許文献２】実用新案登録第３０９２３７５号公報
【特許文献３】実用新案登録第３０１８４５７号公報
【特許文献４】実用新案登録第３０５８６７９号公報
【特許文献５】特開平０２−１４１７８９号公報
【考案の概要】
【考案が解決しようとする課題】
【０００７】
しかしながら、従来の地球儀や地球儀用スケールでは、２点間の距離及び一方から他方を見た方角を共に測定することはできず、不便であるという問題点があった。
【０００８】
尚、特許文献１〜５には、地球儀の縮尺に応じた距離用目盛りを備えた長尺状のスケール本体に、方位線及び方位が記載された円板が摺動回転可能に取り付けられ、２点間の距離及び一方から他方を見た方位を共に測定可能とする地球儀用スケールは記載されていない。
また、従来の地球儀や地球儀用スケールは、保管収納時についての考慮が為されたものではない。
【０００９】
本考案は、上記実状に鑑みて為されたもので、簡易な構成で、地球儀上の距離及び方角を共に測定することができ、また、収納保管が容易である地球儀用スケールを提供することを目的とする。
【課題を解決するための手段】
【００１０】
上記従来例の問題点を解決するための本考案は、地球儀と共に用いられる地球儀用スケールであって、長尺状のスケール本体と、スケール本体に摺動回転可能に取り付けられた方位測定板とを備え、スケール本体は、透明で湾曲可能な部材で形成され、長辺に平行に配置され目標となる地点を指定する直線である目標線と、目標線上の起点から地球儀の縮尺に応じた距離を示す数値とが設けられた距離用目盛りを備え、方位測定板は、透明部材で形成され、回転の中心となる中心点からの方位を示す方位目盛りを備え、中心点が、目標線上に位置することを特徴としている。
【００１１】
また、本考案は、上記地球儀用スケールにおいて、スケール本体の長手方向の長さは、地球儀の円周の半分より大きく形成され、スケール本体の両端部に、地球儀の球体を保持する軸に係止する保持部が形成されていることを特徴としている。
【００１２】
また、本考案は、上記地球儀用スケールにおいて、スケール本体が、地球儀の縮尺で表示された特定の国のイラストが記載されたイラスト部を備えていることを特徴としている。
【００１３】
また、本考案は、上記地球儀用スケールにおいて、距離用目盛りが、スケール本体の一端付近を起点として、スケール本体の他端に向かって数値が付されていることを特徴としている。
【００１４】
また、本考案は、上記地球儀用スケールにおいて、距離用目盛りが、方位測定板の中心点を起点として、スケール本体の両端に向かって数値が付されていることを特徴としている。
【考案の効果】
【００１５】
本考案によれば、地球儀と共に用いられる地球儀用スケールであって、長尺状のスケール本体と、スケール本体に摺動回転可能に取り付けられた方位測定板とを備え、スケール本体は、透明で湾曲可能な部材で形成され、長辺に平行に配置され目標となる地点を指定する直線である目標線と、目標線上の起点から地球儀の縮尺に応じた距離を示す数値とが設けられた距離用目盛りを備え、方位測定板は、透明部材で形成され、回転の中心となる中心点からの方位を示す方位目盛りを備え、中心点が、目標線上に位置する地球儀用スケールとしているので、距離用目盛りを用いて地球儀上の任意の２点間の距離を測定でき、また、中心点を地球儀上の任意の地点に合わせて、目標線を目標地点に合わせ、方位測定板の南北を示す方位目盛りを地球儀の経線に一致させるよう方位測定板を回転させて、目標線の指す方角を方位測定板の方位目盛りによって読み取れば、中心点の地点から目標地点を見た方角を測定することができ、距離と方角の両方を測定することができる効果がある。
【００１６】
また、本考案によれば、スケール本体の長手方向の長さは、地球儀の円周の半分より大きく形成され、スケール本体の両端部に、地球儀の球体を保持する軸に係止する保持部が形成されている上記地球儀用スケールとしているので、本スケールを使用しない場合に、保持部を地球儀の軸に係止させて、本スケールを湾曲させて地球儀本体に取り付けて保管することができ、使用したいときにはすぐに使用できる共に、スケールの紛失を防ぐことができるものである。
【００１７】
また、本考案によれば、スケール本体が、地球儀の縮尺で表示された特定の国のイラストが記載されたイラスト部を備えている上記地球儀用スケールにとしているので、イラストを地球儀上の他の国の近くに当てたり、重ねたりすることにより、イラストに描かれた国と他の国との大きさや形状の違いを容易に比較することができる効果がある。
【００１８】
また、本考案によれば、距離用目盛りが、スケール本体の一端付近を起点として、スケール本体の他端に向かって数値が付されている上記地球儀用スケールとしているので、地球儀の約半周分の長い距離を１回で測定することができる効果がある。
【００１９】
また、本考案によれば、距離用目盛りが、方位測定板の中心点を起点として、スケール本体の両端に向かって数値が付されている上記地球儀用スケールとしているので、距離を測定する際の起点と、方角を測定する際の基準点とを一致させて、一度に距離と方角の両方を測定することができる効果がある。
【図面の簡単な説明】
【００２０】
【図１】本考案の実施の形態に係る地球儀用スケールの概観図である。
【図２】方位測定板２を回転させた状態の例を示す説明図である。
【図３】本スケールを用いて距離の測定をする場合の模式説明図である。
【図４】本スケールを用いて方角の測定をする場合の模式説明図である。
【図５】本スケールを用いて大きさの比較をする場合の模式説明図である。
【図６】本スケールの保管方法を示す模式説明図である。
【図７】本スケールの固定補助具の例を示す説明図である。
【考案を実施するための形態】
【００２１】
本考案の実施の形態について図面を参照しながら説明する。
［実施の形態の概要］
本考案の実施の形態に係る地球儀用スケールは、透明で湾曲可能な部材から成り、地球儀の縮尺に応じて距離を示す距離用目盛りが設けられた長尺状のスケール本体と、透明部材から成り、方位線及び方位が付され、スケール本体の中央付近に摺動回転可能に取り付けられた円板状の方位測定部とを備え、距離用目盛りは方位測定部の中心を通るよう形成されたものである。
【００２２】
当該スケールを用いることにより、地球儀上の任意の地点と目標地点とを結ぶようにスケール本体の距離用目盛りを当てて、距離用目盛りによって２地点間の距離を測ることができる。
また、方位測定部の中心を任意の地点に当てて、南北を示す方位線が方位測定部の中心を通る経線に一致するよう回転させ、一致させた状態で、スケール本体を回転させて目標地点の方向に伸ばし、距離用目盛りを目標地点に合わせ、距離用目盛りが示す方位を方位測定部の方位用目盛りを用いて読み取ることにより、方位測定部の中心の地点から目標地点を見た方角を測定できる。
これにより、本考案の実施の形態に係る地球儀用スケールは、一つの器具で距離と方角を両方測定することができ、利便性を向上させるものである。
【００２３】
また、本考案に係る地球儀用スケールは、スケール本体から突出するよう形成され、特定の国や場所の形状を示すイラストが地球儀と同じ縮尺で描かれたイラスト部を備えており、地球儀に描かれた国や地域の近くにイラスト部を当てて、面積や形状を簡易に比較することができるものである。
【００２４】
また、本考案に係る地球儀用スケールは、スケール本体の長さが地球儀の円周の半分よりやや長く形成され、両端に地球儀の球体を支える軸に嵌入する保持穴を備えており、非使用時には保持穴を地球儀の軸にはめることにより、本地球儀用スケールを地球儀の表面に沿って取り付けて保管収納することができ、保管を容易にすると共に、紛失を防ぐことができるものである。
【００２５】
［実施の形態に係る地球儀用スケール：図１］
本考案の実施の形態に係る地球儀用スケールの構成について図１を用いて説明する。図１は、本考案の実施の形態に係る地球儀用スケールの概観図である。
本考案の実施の形態に係る地球儀用スケールは、特定の地球儀の表面に当てて距離や方角を測定するために用いるものであり、特に、小学生等の地球儀学習用として有用なものである。
具体的には、地球儀の縮尺に合った目盛りを用いて距離を測定したり、縮尺に応じたイラストを用いて面積の比較をしたり、更に方位を測定することができるものであり、地球儀とセットで使用することにより学習効果を高めることを想定している。
【００２６】
図１に示すように、本考案の実施の形態に係る地球儀用スケール（本スケール）は、長尺状のスケール本体１と、スケール本体１の中央付近に取り付けられた方位測定板２とを備えている。
方位測定板２は、スケール本体１の中央部付近にハトメ等の固定部２１によって摺動回転可能に固定されており、固定部２１を中心にスケール表面上で３６０度回転可能となっている。固定部２１は、請求項に記載した中心点に相当する。
スケール本体１には、距離測定用の距離用目盛りが形成され、方位測定板２には方位測定用の方位線が形成されている。これらについては後述する。
【００２７】
また、スケール本体１の長さは、地球儀の円周の半分よりやや長く、スケール本体１の両端部には、地球儀の球体を支える軸に係止して本スケールを保持する保持部（地球儀軸保持穴）１３ａ、１３ｂが形成されている。図１の例では、図の下側の地球儀軸保持穴１３ａは、上側の地球儀軸保持穴１３ｂに比べて大きく形成されているが、地球儀の軸の太さに応じて適宜形成すればよく、同じ大きさでもよい。
【００２８】
地球儀軸保持穴１３ａ，１３ｂの径は、地球儀の軸よりやや大きく形成され、穴の周囲が一部切り取られた切り欠き部が形成されている。
本スケールを使用しない場合には、切り欠き部を地球儀軸に当てて押し込むようにすることで、切り欠き部の周囲が変形し、地球儀軸を地球儀軸保持穴１３ａ，１３ｂに嵌入させ、その後手を離せば元の形状に戻って輪が地球儀軸に引っ掛かり、本スケールを両端で保持することができるものである。
尚、保持部の形状は穴に限らず、フック状の形状として地球儀軸に係止させる構成としてもよい。
【００２９】
地球儀軸保持穴１３ａ、１３ｂを設けることにより、本スケールを地球儀本体に取り付けて収納することができ、必要なときにすぐに使用できると共に、紛失を防ぐことができるものである。
【００３０】
［材質］
スケール本体１及び方位測定板２は、透明部材で形成されている。透明部材で形成することにより、本スケールを地球儀に押し当てて使用する際に、地球儀表面に記載された地形や文字等を容易に透視することができるものである。
透明部材は無色であることが望ましいが、地球儀に記載された地形や文字を読み取ることができる程度に淡く着色されていても構わない。
【００３１】
また、本スケールは、地球儀の球体表面に沿って湾曲して変形可能な部材で形成されている。
具体的には、通常は平面状であるが、地球儀に押し当てて使用する際や、保持穴１３ａ，１３ｂを軸に嵌入させて収納する際には、地球儀の表面に沿って撓ませる（曲げる）ことができるものである。
湾曲可能な部材とすることで、球体である地球儀の表面に容易に沿わせて、距離や方角を容易に測定することができるようにしている。
但し、目盛りが歪むのを防ぐため、延びない素材が好ましい。
【００３２】
［スケール本体１］
スケール本体１について説明する。
スケール本体１には、距離を測定する距離用目盛り１１が設けられている。
距離用目盛り１１は、スケール本体の長手方向に略平行に配置された直線１１ａ上に、地球儀の縮尺で実際の距離を示す複数の目盛り線１１ｂが付された構成となっている。
ここで、距離用目盛り１１の長手方向の直線１１ａは、方位測定板２が固定される固定部２１を通る直線として描画されている。長手方向の直線１１ａは、本スケール使用時に、基準となる地点と目標地点とを結ぶ直線であり、以下、目標線１１ａと称するものとする。
【００３３】
図１の例では、目標線１１ａ上に、図の下側の端部を起点として、上側の端部に向かって１０００ｋｍ毎に距離を示す複数の目盛り線１１ｂと、各目盛り線１１ｂに対応する距離の値が記載されており、距離の値は５０００ｋｍ毎に大きい字で記載されている。距離の数値は、地球儀の縮尺に応じて実際の距離を表すものとなっている。
また、ここでは、方位測定時の妨げとならないよう、方位測定板２と重なる部分には目盛り線ｂ及び距離の値は記載されていない。
【００３４】
そして、地球儀上で距離を測定する際には、所望の２点を目標線１１ａ上に合わせることにより、目盛り線１１ｂ及び距離の値に基づいて距離を読み取る。一方の地点を距離用目盛り１１の起点に合わせれば、目盛りの数値をそのまま読み取って測定できるものである。
【００３５】
尚、距離用目盛り１１の起点をスケール本体１の反対側の端部として、逆向きに目盛りの数値を付してもよく、更に、起点を方位測定板２が取り付けられている固定部２１の中心位置として、スケール本体１の中心部から両端に向かって目盛りの数値を付すようにしてもよい。また、これらを組み合わせて記載しても構わない。
【００３６】
距離用目盛り１１の数値を、スケール本体１の一端から他端に向かって付した場合には、長い距離を測定することができ、固定部２１からスケール本体１の両端に向かって付した場合には、距離測定の起点と方角測定の基準点とを一致させて、距離と方角とを一度に測定することができるものである。方角の測定方法は後述する。
【００３７】
また、本スケールの距離用目盛り１１の近傍には、「8848m 世界一高いエベレスト山」「3474km 月の直径」といった距離や長さの比較対象となる数値を記載しておき、地球儀と本スケールを用いて距離を測った場合に、測定した距離がどの程度なのか比較することで興味を持たせ、楽しく学習させることができるものである。
【００３８】
更に、スケール本体１には、長辺の一部を突出させて、特定の国や地域のイラスト３０が描かれたイラスト部３が形成されている。イラスト部３については後述する。
【００３９】
［方位測定板２］
次に、方位測定板２について説明する。
方位測定板２は、円板状に形成され、固定部２１を中心とする放射状の方位線（方位目盛り）２２と、方位を示す「北」「南」「東」「西」の文字、及びそれらの中間の方向を示す文字とが記載されている。
ここで、固定部２１は、スケール本体１の目標線１１ａ上に設けられている。
そして、方位測定板２は、固定部２１の地点（基準地点）から目標線１１ａ上にある任意の目標地点の方角を測定するものである。
【００４０】
図１では、目標線１１ａが南北方向に一致している場合を示している。
方位測定板２はスケール本体１と同様に透明部材で形成されているため、方位測定板２を通して、スケール本体１の目標線１１ａを目視することができるものである。
【００４１】
［方位測定板２を回転させた状態：図２］
方位測定時の状態について図２を用いて説明する。図２は、方位測定板２を回転させた状態の例を示す説明図である。
図２に示すように、方位測定時には、固定部２１を方位測定の基準となる基準点に合わせ、目標線１１ａを目標地点に合わせた状態で、方位測定板２を回転させて、方位表示の「北」と「南」をそれぞれ、北極、南極の方角に合わせ、南北を示す方位線２２を地球儀の経線に一致させる。
そして、その状態で、目標線１１ａが指す方位を方位測定板２の方位線２２から読み取るものである。
【００４２】
この方位は、方位測定板２の中心から見た場合の、目標線１１ａが伸びている方角、つまり目標地点の方角を示している。これにより、地球儀上の任意の地点から見た別の地点の方角を測定することができるものである。
図２の例では、上側の目標線１１ａは、「北」を示す方位線と「北東」を示す方位線との間に位置し、ほぼ北北東を示しており、下側の目標線１１ａは、「南」を示す方位線と「南西」を示す方位線との間に位置し、ほぼ南南西を示している。
【００４３】
尚、図１及び図２では、方位測定板２は円形の形状としているが、回転の操作をしやすくするために、円周上に複数の突起部（凸部）又は切り欠き部（凹部）を設けてもよい。
これにより、方位測定板２を回転させる際に、指がすべりにくくなるものである。
【００４４】
また、本実施の形態では、方位測定板２はスケール本体１の中央部に設けられているが、いずれかの端部寄りであっても構わない。この場合にも、方位測定板２の固定部２１は、距離用目盛り１１の目標線１１ａ上に位置するよう形成される。
【００４５】
［固定補助具：図７］
更に、本スケールの付属品として、本スケールの一端を地球儀上に固定する補助具（固定補助具）を用いることも考えられる。固定補助具について図７を用いて説明する。図７は、本スケールの固定補助具の例を示す説明図である。
図７（ａ）に示す固定補助具は、吸盤部３１と、突起部３２と、ストッパ３３とを備えた構成である。
吸盤部３１は、ゴムのような変形可能な部材で構成され、内部に空洞を備え、地球儀表面に押し付けられることにより、空洞部の空気が抜けて地球儀表面に圧着固定される。
【００４６】
突起部３２は、地球儀の軸と同程度又はそれより細く形成されており、本スケールの地球儀保持穴１３ａ又は１３ｂに嵌入されるものである。また、突起部３２は、固定補助具を指でつまんで持ち易くするものである。
ストッパ３３は、地球儀保持穴１３ａ又は１３ｂが突起部３２から抜け出てしまうのを防止するものである。
吸盤部３１、突起部３２、ストッパ３３は、同一の部材で形成してもよいし、別々に形成された後に組み立ててもよい。
【００４７】
固定補助具の使用方法について説明する。
例えば、距離測定の起点とする地球儀上の任意の地点付近に固定補助具の吸盤部３３を押し付けて固定し、本スケール端部の地球儀保持穴１３ａ又は１３ｂを固定補助具の突起部３２に引っ掛ける。
これにより、本スケールの一端が当該地点に回転可能に固定されるため、スケールを当該地点に手で押さえて保持しなくて済み、両手を使ってスケールの他端を所望の地点に容易に当て、距離を測定することができるものである。
【００４８】
また、方位測定用の固定補助具として、突起部３２の径を方位測定板２の固定部２１の穴が通る程度に細く形成してもよい。この場合、固定部２１の穴には切り欠きがないため、ストッパを設けず、突起部３２を長めにしておく。
そして、方位測定時の基準点となる任意の地点上に固定補助具を固定し、本スケールの方位測定板２の固定部２１の穴を突起部３２に通せば、方位測定時の基準点に本スケールを回転可能に固定することができるものであり、両手を使ってスケール本体１や方位測定板２を操作することができ、方角を容易に測定できるものである。
【００４９】
また、固定補助具は、図７（ｂ）に示すように、ゴム等の変形可能な部材で、吸盤部４１と、頭部４２とを一体に形成したものでもよい。
この場合、吸盤部４１と頭部４２との間にくびれ部４３を形成し、くびれ部４３の径を地球儀軸と同程度となるよう形成しておく。これにより、地球儀軸保持穴１３ａ又は１３ｂにくびれ部４３を回転可能に嵌入すると共に、頭部４２により抜けを防ぐことができるものである。
（ｂ）のように一体に形成することで、安価に製造できるものである。
【００５０】
［イラスト部３］
次に、イラスト部３について説明する。
上述したように、イラスト部３には、特定の国や地域の形を示すイラスト３０が、地球儀の縮尺に応じた大きさで描かれている。ここでは、日本列島の形状が記載されており、本スケールを地球儀上の任意の国の上に重ねてイラスト３０と比較することにより、日本列島と比較した他国の面積の大小や形状の違いを容易に認識することができるものである。
【００５１】
イラスト３０は、日本列島に限らず、地球儀及び本スケールの販売先となる国の形状を記載することが可能である。自国のイラストが記載されていることによって、販売先の国においても学習効果を高めることが期待できるものである。
また、イラスト部３をスケール本体１の両側に複数設けて、複数の異なる国のイラストを記載してもよい。
【００５２】
［本スケールの使用例］
次に、本スケールの使用例について図３，４，５，６を用いて説明する。
［距離の測定：図３］
図３は、本スケールを用いて距離の測定をする場合の模式説明図である。
図３に示すように、本スケールの距離用目盛り１１の起点を、地球儀上の基準となる地点に合わせ、本スケールの目標線１１ａを目標地点（ここでは東京としている）に合わせ、距離用目盛り１１によって起点となる地点から目標地点までの距離を測定する。
距離用目盛り１１は、地球儀の縮尺に合わせた距離表示としているので、実際の距離を容易に読み取ることができるものである。
尚、図３は、本スケールの使用方法を説明するために模式的に表したものであり、本スケールを実際に地球儀に当てた状態とは異なっている。
【００５３】
［方角の測定：図４］
図４は、本スケールを用いて方角の測定をする場合の模式説明図である。
上述したように、方角の測定をする場合、まず、本スケールの方位測定板２の固定部２１を、地球儀上の基準となる地点（例えば東京）に合わせる。そして、距離用目盛り１１の目標線１１ａを目標地点に合わせる。
その状態で、方位測定板２を回転させて、「北」と「南」が北極と南極の方角を指すよう、南北の方位線２２を基準地点を通る経線に一致させ、方位測定板２の放射状の方位線２２によって目標線１１ａが示す方角を読み取る。
これにより、基準地点から目標地点を見た方角が測定できるものである。図４の例では、目標地点は真東の方角になる。
【００５４】
尚、図４は、本スケールの使用方法を模式的に表したものであり、本スケールを実際に地球儀に当てた場合には、スケール本体１の端部はアルゼンチンまでは達しないが、目標線１１ａの延長線上にアルゼンチンが位置するため、アルゼンチンは東京から見て東の方向にあることがわかるものである。
【００５５】
［大きさの比較：図５］
図５は、本スケールを用いて大きさの比較をする場合の模式説明図である。
図５に示すように、本スケールのイラスト部３に記載された日本列島のイラスト３０を、比較したい国と並べたり重ねたりして、大きさを比較する。これにより、直感的に面積の大小や形の違いを比較できるものである。
【００５６】
［保管方法：図６］
図６は、本スケールの保管方法を示す模式説明図である。
図６に示すように、地球儀軸保持穴１３ａ，１３ｂを南極と北極の地球儀軸に嵌入させて、スケール本体１を湾曲させ、地球儀の経線に沿わせるようにして保管する。
これにより、本スケールを地球儀本体に取り付けた状態で保管でき、使用したいときにすぐに使用できると共に、紛失を防ぐことができるものである。
【００５７】
［実施の形態の効果］
本考案の実施の形態に係る地球儀用スケールによれば、透明で湾曲可能な部材から成るスケール本体１と、スケール本体の中央部に摺動回転可能に取り付けられた円板状の方位測定板２とを備え、スケール本体１には、スケール本体１の長手方向に配置された目標線１１ａと、地球儀の縮尺に応じて目標線１１ａ上の距離を示す数値とから成る距離用目盛り１１が設けられ、方位測定板２には、方位測定板２を回転可能に固定する固定部２１を中心とした放射状の方位線２２と方位表示が設けられ、スケール本体１の目標線１１ａが方位測定板２の固定部２１を通るよう形成されている地球儀用スケールとしている。
これにより、スケール本体１の距離用目盛り１１を用いて地球儀上の任意の地点間の距離を測定することができると共に、任意の基準地点を方位測定板２の固定部２１に合わせ、スケール本体１の目標線１１ａを目標地点に合わせた状態で、方位測定板２を回転させて、方位測定板２の南北を示す方位線を地球儀の経線に一致させることにより、基準地点から見た目標地点の方位を方位測定板２の方位線を用いて測定することができる。
つまり、１つのスケールで地球儀の縮尺に応じた距離と方位とを測定でき、利便性を向上させ、地球儀学習における理解を深めさせることができる効果がある。
【００５８】
また、本考案の実施の形態に係る地球儀用スケールによれば、距離用目盛り１１の起点をスケール本体１の一端付近とし、目標線１１ａに沿って距離を表す数値が他端に向かって付されたスケールとしているので、一度に長い距離を測定可能とすることができる効果がある。
【００５９】
また、本考案の実施の形態に係る地球儀用スケールによれば、距離用目盛り１１の起点を、方位測定板２の中心である固定部２１とし、距離を表す数値が目標線１１ａの中央から両端に向かって付されたスケールとしているので、地球儀上の任意の地点を固定部２１に合わせ、スケール本体１の目標線１１ａを目標地点に合わせて距離を測定し、更に方位測定板２を回転させて南北の方位線を地球儀の経線に一致させることにより、方位測定板２の方位線２２によって目標線１１ａの示す方角を測定でき、地球儀に本スケールを１回セットするだけで任意の２地点間の距離と方角とを両方測定することができる効果がある。
【００６０】
また、本考案の実施の形態に係る地球儀用スケールによれば、地球儀と同一縮尺の国のイラスト３０が記載されたイラスト部３を備えているので、イラスト３０を地球儀上の他の国や地域と並べたり重ねたりすることで、イラスト３０に描かれた自分の国と他国との大きさを容易に比較できる効果がある。
【００６１】
また、本考案の実施の形態に係る地球儀用スケールによれば、スケール本体１の長さを、地球儀球体の円周の半分よりやや長く形成して、両端に地球儀の軸に嵌入する地球儀軸保持穴１３ａ，１３ｂを備えているので、本スケールを使用しない時には、地球儀軸保持穴１３ａ，１３ｂを地球儀の軸に嵌入させて、スケール本体１を地球儀に取り付けて容易に保管することができ、いつでも使用可能な状態で保管できると共に、紛失を防ぐことができる効果がある。
【産業上の利用可能性】
【００６２】
本考案は、地球儀用のスケールに係り、特に、簡易な構成で、地球儀上の距離及び方位を両方とも測定することができ、収納保管が容易である地球儀用スケールに適している。
【符号の説明】
【００６３】
１...スケール本体、  ２...方位測定板、  ３...イラスト部、  １１...距離用目盛り、  １１ａ...目標線、  １１ｂ...目盛り線、  １３...地球儀軸保持穴、  ２１...固定部、  ２２...方位線、  ３０...イラスト、  ３１，４１...吸盤部、  ３２...突起部、  ３３...ストッパ、  ４２...頭部、  ４３...くびれ部
【図１】
0003177402.tif 000003
【図２】
0003177402.tif 000004
【図３】
0003177402.tif 000005
【図４】
0003177402.tif 000006
【図５】
0003177402.tif 000007
【図６】
0003177402.tif 000008
【図７】
0003177402.tif 000009